(57)【要約】【課題】  本発明の課題は、コストの削減を図ることができるとともに、白色シートが破損しにくい画像読取装置を提供することである。【解決手段】  原稿挿入口から挿入された原稿Ｓを読み取り部６へと搬送する搬送ローラ１３と、読取部６の原稿Ｓの画像を読み取る読み取り手段７、９と、読取部６上の原稿Ｓを押える圧板１１とを備え、圧板１１の原稿押え面には白色シート３３を読み取り手段７、９の対向位置に取り付けるようにしている。【選択図】      図１
2005130324.tif 000002
【特許請求の範囲】
【請求項１】
原稿挿入口から挿入された原稿を読取部へ搬送する搬送ローラと、読取部の原稿の画像を読み取る読取手段と、読取部上の原稿を押える圧板とを備え、圧板の原稿押え面には白色シートを読取手段の対向位置に取り付けたことを特徴とする画像読取装置。
【請求項２】
読取手段は原稿の画像の一部を読み取る第１の読取手段と、第１の読取手段で読み取った画像以外の領域を読み取る第２の読取手段とを備え、白色シートは第１の読取手段及び第２の読取手段のそれぞれの対向位置に取り付けたことを特徴とする請求項１に記載の画像読取装置。
【請求項３】
圧板は原稿の搬送方向上流側に、白色シートの端を差し込む白色シートの挿入部を備えることを特徴とする請求項１又は２に記載の画像読取装置。
【発明の詳細な説明】
【技術分野】
【０００１】
本発明は、複写機やプリンタやファクシミリ装置、スキャナ装置等の画像読取装置に関する。
【背景技術】
【０００２】
従来、原稿の画像を読み取る画像読取装置としては、例えば特許文献１に記載の従来技術のように、読取部に搬送されてきた原稿の画像を読み取る読取手段と、読取部上の原稿を押えるための圧板とを備え、圧板の原稿押え面には白色の塗装を施していた。
【０００３】
一方、特許文献２に記載の従来技術では、圧板の原稿押え面に白色シートを接着剤等で貼り付けにより固定していた。
【０００４】
【特許文献１】特開平９−２７０８８４号公報
【特許文献２】特開平１１−９８２９３号公報
【発明の開示】
【発明が解決しようとする課題】
【０００５】
しかしながら、上述の特許文献１に示す従来技術では、圧板に対して直接、白色塗装を施しているため、コスト高になると共に原稿との接触を繰り返すことで、塗装が剥がれてしまうという問題があった。
【０００６】
また、特許文献２記載の従来技術では、圧板に対して白色シートを接着剤等で貼り付けにより取り付けているため、長年の使用により圧板に対する白色シートの接着が弱まって、白色シートの貼り付け位置がずれたり浮いたりした場合、原稿が白色シートに引っ掛かって原稿にスキューが発生したり、白色シートが破損するおそれがあった。
【０００７】
本発明は、コストの削減を図ることができるとともに、白色シートが破損しにくい画像読取装置を提供することにある。
【課題を解決するための手段】
【０００８】
前記課題を解決するために、請求項１に記載された発明は、原稿挿入口から挿入された原稿を読取部へ搬送する搬送ローラと、読取部の原稿の画像を読み取る読取手段と、読取部上の原稿を押える圧板とを備え、圧板の原稿押え面には白色シートを読取手段の対向位置に取り付けたことを特徴とする。
【０００９】
請求項２に記載された発明は、請求項１に記載の発明において、読取手段は原稿の画像の一部を読み取る第１の読取手段と、第１の読取手段で読み取った画像以外の領域を読み取る第２の読取手段とを備え、白色シートは第１の読取手段及び第２の読取手段のそれぞれの対向位置に取り付けたことを特徴とする。
【００１０】
請求項３に記載された発明は、請求項１又は２に記載の発明において、圧板は原稿の搬送方向上流側に、白色シートの端を差し込む白色シートの挿入部を備えることを特徴とする。
【発明の効果】
【００１１】
請求項１に記載の発明によれば、原稿挿入口から挿入された原稿は、搬送ローラによって読取部に搬送される。読取部に搬送された原稿は、読取部の下方位置に設けられた読取手段によって原稿の画像が読み取られる。圧板の原稿押え面には白色シートを読取手段の対向位置に設けたので、圧板の全体に設ける必要がなくコストの削減を図ることができる。
【００１２】
また、白色シートは圧板に対して後付け可能なので、白色シートに傷が生じた場合でも交換が容易である。
【００１３】
請求項２に記載された発明によれば、請求項１に記載された発明と同様の効果が得られるとともに、白色シートは第１の読取手段及び第２の読取手段のそれぞれの対向位置に取り付けたので、一方の白色シートに傷が生じた場合には、その傷の生じた白色シートのみを交換すればよく、さらにコスト削減を図ることができる。
【００１４】
請求項３に記載された発明によれば、請求項１又は２に記載された発明と同様の効果が得られるとともに、白色シートの端を圧板の挿入部に挿入して白色シートを圧板に取り付けているので、白色シートの端に原稿が引っ掛からず、スムーズな原稿の搬送が可能となる。
【発明を実施するための最良の形態】
【００１５】
以下、図面を参照しながら本発明の一実施形態について説明する。図１は本発明に係る画像読取装置を概略的に示す側面図、図２は図１に係る画像読取装置の圧板を示す平面図、図３は図２に示す圧板の縦断面図、図４は本発明に係る画像読取装置を概略的に示す平面図、図５は本発明に係る画像読取装置の原稿読取動作を示す平面図、図６は本発明に係る画像読取装置の制御ブロック図、図７は本発明に係る画像読取装置の原稿読取動作を示すフローチャートである。
【００１６】
図１に示すように本発明の第１実施の形態に係る画像読取装置１は、原稿Ｓを載置する原稿台３と、原稿台３上にある原稿Ｓを読取部６へ搬送する原稿送り装置５と、読取部６上にある原稿Ｓの画像を読み取る読取手段７、９と、読取部６上の原稿Ｓを押える圧板１１とを備えている。
【００１７】
原稿送り装置５は、原稿台３上の原稿Ｓを読取部６に搬送する第１の搬送ローラ（搬送ローラ）１３と、読み取りが終了した原稿Ｓを原稿台３と反対方向に排出する第２の搬送ローラ１４とを備え、第１の搬送ローラ１３及び第２の搬送ローラ１４は、駆動モータ１７の駆動を受けたタイミングベルト１９の回転による駆動プーリ１５、１６の回転と連れ回りするようになっている。
【００１８】
読取手段７、９は、第１の搬送ローラ１３により搬送された原稿Ｓの一部を読み取る第１の読取手段７と、第１の読取手段７で読み取った画像以外の領域を読み取る第２の読取手段９とを備えている。第１の読取手段７は原稿Ｓの搬送方向に対して直交する方向の両側の位置に設けられており、搬送される原稿Ｓの両側部を読み取るようになっている。一方、第２の読取手段９は原稿Ｓの搬送方向に対して直交する方向の中央部に設けられており、原稿Ｓの中央部を読み取るようになっている。
【００１９】
第１の読取手段７及び第２の読取手段９の内部には図示しない発光手段が設けられており、原稿Ｓの画像に対して所定量の光を照射し、画像から反射した画像パターンに対応する反射光を図示しないセルフォックスレンズを介して図示しない受光素子に等倍で結像される。受光素子において受光した原稿画像のアナログデータは、Ａ／Ｄ変換回路２５においてデジタルデータに変換される。そして、デジタル変換された画像データはメモリ２７に格納されるようになっている。
【００２０】
原稿台３における搬送方向の先端側の位置には、第１原稿検知センサ（検知手段）２１が設けられており、原稿Ｓの先端を検知することで，原稿Ｓが第１の搬送ローラ１３の位置にあることを認識するようになっている。また、第１の搬送ローラ１３の下流側の位置には第２原稿検知センサ（検知手段）２３が設けられており、原稿Ｓの読み取り開始のタイミングを図るようにしている。
【００２１】
尚、上述の駆動モータ１７、第１及び第２の搬送ローラ１３、１４、第１及び第２の原稿検知センサ２１、２３は、図６の制御ブロック図に示すように、それぞれＣＰＵ２９の制御を受けている。
【００２２】
圧板１１の原稿押え面における読取手段７、９の対向する位置には、読み取りライン３０に沿って凹状の溝３１が形成されており、この溝３１に白レベル判別の基準となる白色シート３３を取り付けている。この白色シート３３は第１の読取手段７に対向する位置と、第２の読取手段９に対向する位置とに夫々設けられている。尚、白色シート３３の大きさは各読取手段７，９の大きさとほぼ同じ大きさであるが、各読取手段７，９の大きさよりも若干大きく設けても良い。また、白色シート３３は各読取手段７、９による読み取りの繋ぎ目３２が重なり合うように設けられている。
【００２３】
次に上述の構成を基に本実施の形態にかかる画像読取装置の作用について説明する。図７に示すフローチャートを基に原稿の読取動作について説明する。原稿台３に載置された原稿Ｓの先端を第１原稿検知センサ２１が検知すると（ステップＳ１）、駆動モータ１７が駆動を開始して第１及び第２の搬送ローラ１３、１４が回転駆動を開始する（ステップＳ２）。第１及び第２の搬送ローラ１３、１４が回転駆動を開始してから所定の時間経過後（Ｎ秒後）に第１及び第２の搬送ローラ１３、１４の回転駆動が停止し、原稿Ｓの搬送が一時停止する（ステップＳ３、ステップＳ４）。
【００２４】
そして、ローラ１３，１４の停止から所定の時間経過後（Ｔ秒後）に、第１及び第２の搬送ローラ１３，１４が回転駆動して原稿Ｓの搬送が再開する（ステップＳ５、ステップＳ６）。原稿Ｓが第２原稿検知センサ２３を通過すると、読取手段７、９による原稿Ｓの読み取りが開始する（ステップＳ７）。尚、原稿Ｓが第２原稿検知センサ２３を通過しない場合は、ジャムが発生したものと認識され、図示しない表示パネル等でジャム表示がなされる（ステップＳ８）。
【００２５】
原稿Ｓが第２原稿検知センサ２３を通過すると、第２原稿検知センサ２３の検知信号はＯＦＦとなり（ステップＳ９）、所定時間経過後（Ｓ秒後）に原稿Ｓは第２の搬送ローラ１４から機外に抜け、第１及び第２の搬送ローラ１３、１４の回転駆動は停止する（ステップＳ１１）。
【００２６】
尚、第１の読取手段７では、図５に示すように、搬送される原稿Ｓの両側部Ｓ２が読み取られ、第２の読取手段９では搬送される原稿Ｓの中央部Ｓ１が読み取られる。第１の読取手段７で読み取られた画像データは、Ａ／Ｄ変換回路２５においてアナログ信号からデジタル信号に変換され、遅延回路により所定時間、一時的にメモリ２７に格納される。その後、第１の読取手段７で読み取られた画像データは、第２の読取手段９で読み取られた画像データと合成されて、図示しない画像処理回路に送られる。
【００２７】
本実施の形態では、圧板１１の原稿押え面には白レベル判別の基準となる白色シート３３を読取手段７、９の対向位置に設けたので、圧板１１の全体に白色シート３３を設ける必要がなくコストの削減を図ることができる。
【００２８】
また、白色シート３３は圧板１１に対して後付け可能なので、白色シート３３に傷が生じた場合でも交換が容易である。
【００２９】
白色シート３３は第１の読取手段７及び第２の読取手段９のそれぞれの対向位置に取り付けたので、一部の白色シート３３に傷が生じた場合には、その傷の生じた白色シート３３のみを交換すればよく、さらにコスト削減を図ることができる。
【００３０】
また、白色シート３３は圧板１１に形成した凹状の溝３１内に取り付けたので、搬送される原稿Ｓが白色シート３３に引っかかり難く、白色シート３３が剥がれ落ちるのを防止できる。
【００３１】
次に、他の実施の形態を説明するが、その説明にあたり上述した部分と同一の作用効果を奏する部分には、同一の符号を付することにより、その部分の詳細な説明を省略し、以下の説明では、主に第１実施の形態と異なる点を説明する。図８は第２の実施形態を示しており、（ａ）は圧板の平面図、（ｂ）は圧板の断面図である。
【００３２】
第２の実施形態では、第１の読取手段７及び第２の読取手段９の対向位置に設ける白色シート３３を１枚のシートにして圧板１１の押圧面に取り付けている。図８（ａ）に示すように、白色シート３３は２つある第１の読取手段７をカバーするように長方形に形成した部分と、第２の読取手段９をカバーするように略四角形に設けた部分とが連続し、全体として凸状となっている。この場合、圧板１１全体に白色シート３３を設ける必要がないので、コスト削減を図ることができる。
【００３３】
次に第３の実施形態について説明する。図９は第３の実施形態を示しており、（ａ）は圧板の平面図、（ｂ）は圧板の断面図である。第３の実施形態では、圧板１１の第１の読取手段７及び第２の読取手段９の対向位置に形成する溝３１を、搬送方向に直交する方向全体に渡って形成している。そして、夫々の溝３１全体に渡って白色シート３３を取り付けている。この場合、溝３１を搬送方向に直交する方向全体に渡って形成するので、溝３１の加工が容易である。
【００３４】
次に第４の実施形態について説明する。図１０は第４の実施形態を示す圧板の平面図を示し、図中一点鎖線で抜き出して示す図は圧板の断面図である。
【００３５】
図１０に示すように、圧板１１には開口部３５を設けており、白色シート３３の端３４を開口部（挿入部）３５に挿入している。白色シート３３の端３４を圧板１１の開口部３５に挿入して取り付けているので、白色シート３３の端３４に原稿Ｓが引っ掛からず、スムーズな原稿Ｓの搬送が可能となる。
【００３６】
なお、本発明は上述した実施の形態に限定されず、その要旨を逸脱しない範囲で種々の変形が可能である。図１０に示す第４の実施形態では、圧板１１に開口部３５を設けて、白色シート３３の端３４を開口部３５に差し込んで取り付けたが、図２に示すように、圧板１１に溝３１を設けた場合に、さらに溝３１に開口部を形成し、白色シート３３の端３４を開口部に差し込むようにしても良い。
【図面の簡単な説明】
【００３７】
【図１】本発明に係る画像読取装置を概略的に示す側面図である。
【図２】図１に係る画像読取装置の圧板を示す平面図である。
【図３】図２に示す圧板の縦断面図である。
【図４】本発明に係る画像読取装置を概略的に示す平面図である。
【図５】本発明に係る画像読取装置の原稿読取動作を示す概略図である。
【図６】本発明に係る画像読取装置の制御ブロック図である。
【図７】本発明に係る画像読取装置の原稿読取動作を示すフローチャートである。
【図８】本発明に係る画像読取装置の第２の実施形態を示しており、（ａ）は圧板の平面図、（ｂ）は圧板の断面図である。
【図９】本発明に係る画像読取装置の第３の実施形態を示しており、（ａ）は圧板の平面図、（ｂ）は圧板の断面図である。
【図１０】本発明に係る画像読取装置の第４の実施形態を示す圧板の平面図を示し、図中一点鎖線で抜き出して示す図は圧板の断面図である。
【符号の説明】
【００３８】
１        画像読取装置
６        読取部
１１      圧板
１３      第１の搬送ローラ（搬送ローラ）
７        第１の読取手段（読取手段）
９        第２の読取手段（読取手段）
２１      第１原稿検知センサ（検知手段）
２３      第２原稿検知センサ（検知手段）
３３      白色シート
３４      白色シートの端
３５      開口部（挿入部）
Ｓ        原稿
【図１】
2005130324.tif 000003
【図２】
2005130324.tif 000004
【図３】
2005130324.tif 000005
【図４】
2005130324.tif 000006
【図５】
2005130324.tif 000007
【図６】
2005130324.tif 000008
【図７】
2005130324.tif 000009
【図８】
2005130324.tif 000010
【図９】
2005130324.tif 000011
【図１０】
2005130324.tif 000012